(57)【要約】      （修正有）【課題】歯ブラシの部分が、自分の好みのもの（形状、堅さ、価格など）を選べる電動歯ブラシの提供。【解決手段】電動歯ブラシは、製造者により規格化された替歯ブラシ３と電動歯ブラシ本体４からなるものではなく、市販の歯ブラシ１を、電動歯ブラシ本体２に固定できる構造にした。【選択図】図１
0003121778.tif 000002
【実用新案登録請求の範囲】
【請求項１】
従来の電動歯ブラシに関し、製造者によって規格された歯ブラシ部分の代わりに、市販の様々な歯ブラシを取り付け固定できるようにした構造の電動歯ブラシ。
【考案の詳細な説明】
【技術分野】
【０００１】  本考案は、電動歯ブラシに関する。
【背景技術】
【０００２】  従来の電動歯ブラシでは、歯ブラシの形状、堅さ、価格などが、製造者の規格したものに限定されていた（図２）。
【考案の開示】
【考案が解決しようとする課題】
【０００３】  電動歯ブラシが使いたいものの、歯ブラシの部分が、自分の好みのもの（形状、堅さ、価格など）を選べないという問題点があった。
【課題を解決するための手段】
【０００４】  従来の電動歯ブラシの規格された歯ブラシ部分を除去し、市販のどんな歯ブラシも固定できる構造にする（図１）。
【考案の効果】
【０００５】  自分の好み（形状、堅さ、価格）の歯ブラシで、電動歯ブラシの効果を得ることができる。また、規格されないため、店頭などで入手するのも容易になる。
【考案を実施するための最良の形態】
【０００６】  本考案に係る電動歯ブラシは、図２に示すように、製造者により規格化された替歯ブラシ３と電動歯ブラシ本体４からなるものではなく、図１に示すように、市販の歯ブラシ１を、本考案に係る電動歯ブラシ本体２に固定できる構造にしたものである。
【図面の簡単な説明】
【０００７】
【図１】  本考案に係る電動歯ブラシに、市販の歯ブラシを取り付けた状態の断面図である。
【図２】  従来の電動歯ブラシの断面図である。
【符号の説明】
【０００８】  １    市販の歯ブラシ
２    本考案に係る電動歯ブラシ本体
３    製造者により規格化された替歯ブラシ
４    従来の電動歯ブラシ本体
【図１】
0003121778.tif 000003
【図２】
0003121778.tif 000004
【手続補正書】
【提出日】平成17年8月30日(2005.8.30)
【手続補正１】
【補正対象書類名】実用新案登録請求の範囲
【補正対象項目名】全文
【補正方法】変更
【補正の内容】
【実用新案登録請求の範囲】
【請求項１】
従来の電動歯ブラシに関し、製造者によって規格された歯ブラシ部分の代わりに、市販の様々な歯ブラシを取り付け固定できるようにした構造の電動歯ブラシ。形状については、市販の手動歯ブラシを本考案に係る電動歯ブラシ本体に添え付ける構成にする。それによって本考案に係る電動歯ブラシ本体が、極端に長く、また太くなる事はなく、洗浄もしやすくなると思われる。市販の様々な手動歯ブラシを固定するための具体的な構成として、手動歯ブラシの柄（取っ手）の部分の少なくとも一箇所以上を、固定する必要がある。固定する方法としては、まず歯ブラシメーカーごとにグリップ形状を工夫しているものの、基本的に歯ブラシの柄の断面図は、長方形になるという事に着目し、本体に添え付ける際に、万力のような構造で、まず歯ブラシの上下二方向から、柄の一部分をネジまたは、ダイヤルを回す事により、しっかりと挟み込むあるいは締め付ける。次いでその箇所の近くで、今度は、歯ブラシの左右二方向から、挟み込むあるいは締め付け、基本的に長方形の断面図を持つ歯ブラシの柄の部分を完全に固定する事ができる。その固定部を通して、本考案に係る電動歯ブラシ本体からの動力（振動）を伝え、手動歯ブラシをもって、電動歯ブラシの効果を得る事ができる。尚、手動歯ブラシを固定し、本考案に係る電動歯ブラシ本体と市販の手動歯ブラシが接する部分には、ゴムなどの弾力があり、滑りにくい部材を用いる事が望ましい。
【手続補正３】
【補正対象書類名】明細書
【補正対象項目名】０００２
【補正方法】変更
【補正の内容】
【０００２】  従来の電動歯ブラシでは、歯ブラシの形状、堅さ、価格などが、製造者の規格したものに限定されていた。
【手続補正４】
【補正対象書類名】明細書
【補正対象項目名】０００５
【補正方法】追加
【補正の内容】
【０００５】  自分の好み（形状、堅さ、価格）の歯ブラシで、電動歯ブラシの効果を得ることができる。また、規格されないため、店頭などで入手するのも容易になる。また製造者にとっても、シェアの限られた替歯ブラシの製造と販売を強いられることが無くなり、製造コストの削減に寄与すると思われる。
【手続補正５】
【補正対象書類名】明細書
【補正対象項目名】０００６
【補正方法】変更
【補正の内容】
【０００６】  形態については、図１に示すように、市販の手動歯ブラシを本体に添える構成にする。それによって本考案に係る電動歯ブラシ本体が、極端に長く、また太くなる事はなく、洗浄もしやすくなると思われる。市販の様々な手動歯ブラシを固定するための具体的な構成として、手動歯ブラシの柄（取っ手）の部分の少なくとも一箇所以上を、固定する必要がある。固定する方法としては、まず歯ブラシメーカーごとにグリップ形状を工夫しているものの、基本的に歯ブラシの柄の断面図は、長方形になるという事に着目し、本体に添え付ける際に、図２に示すように、万力のような構造で、まず歯ブラシの上下二方向から、柄の一部分をネジまたはダイヤルを回す事により、しっかりと挟み込む、あるいは締め付け、次いでその箇所の近くで、今度は、図３に示すように、歯ブラシの左右二方向から挟み込む、あるいは締め付け、基本的に長方形の断面図を持つ歯ブラシの柄の部分を完全に固定する事ができる。その固定部を通して、本考案に係る電動歯ブラシ本体からの動力（振動）を伝え、手動歯ブラシをもって、電動歯ブラシの効果を得る事ができる。尚、手動歯ブラシを固定し、本考案に係る電動歯ブラシ本体と市販の手動歯ブラシが接する部分には、ゴムなどの弾力があり、滑りにくい部材を用いる事が望ましい。
【手続補正６】
【補正対象書類名】明細書
【補正対象項目名】０００７
【補正方法】変更
【補正の内容】
【０００７】
【図１】  本考案に係る電動歯ブラシに、市販の手動歯ブラシを取り付けた状態の断面図（略図）である。
【図２】  本考案に係る電動歯ブラシに、市販の手動歯ブラシを取り付けた状態を歯ブラシのヘッド方向から見たものであり、歯ブラシを上下二方向から、万力のような構造で挟み込むあるいは締め付ける固定具の断面図（略図）である。
【図３】  本考案に係る電動歯ブラシに、市販の手動歯ブラシを取り付けた状態を歯ブラシのヘッド方向から見たものであり、歯ブラシを左右二方向から、万力のような構造で挟み込むあるいは締め付ける固定具の断面図（略図）である。
【手続補正７】
【補正対象書類名】明細書
【補正対象項目名】０００８
【補正方法】変更
【補正の内容】
【０００８】  １    市販の手動歯ブラシ
２    本考案に係る電動歯ブラシ本体
３    歯ブラシの上下二方向から締め付けるネジ
４    歯ブラシの左右二方向から締め付けるネジ
【手続補正８】
【補正対象書類名】図面
【補正対象項目名】全図
【補正方法】変更
【補正の内容】
【図１】
0003121778.tif 000005
【図２】
0003121778.tif 000006
【図３】
0003121778.tif 000007
【手続補正書】
【提出日】平成17年11月21日(2005.11.21)
【手続補正１】
【補正対象書類名】実用新案登録請求の範囲
【補正対象項目名】全文
【補正方法】変更
【補正の内容】
【実用新案登録請求の範囲】
【請求項１】
従来の電動歯ブラシに関し、製造者によって規格された歯ブラシ部分の代わりに、市販の様々な歯ブラシを本考案に係る電動歯ブラシ本体に添え付ける構成にするため、基本的に歯ブラシの柄の断面図が、長方形になるという事に着目し、本考案に係る電動歯ブラシ本体に添え付ける際に、万力のような構造で、まず歯ブラシの上下二方向から、柄の一部分をネジまたは、ダイヤルを回す事により、しっかりと挟み込むあるいは締め付け、次いでその箇所の近くで、今度は、歯ブラシの左右二方向から、挟み込むあるいは締め付け、基本的に長方形の断面図を持つ歯ブラシの柄の部分を完全に固定し、その固定部を通して、本考案に係る電動歯ブラシ本体からの動力（振動）を伝え、手動歯ブラシをもって、電動歯ブラシの効果を得る事を特徴とした電動歯ブラシ。